(57)【要約】【課題】テーブル上で容易に診察や手術可能な診察台を提供する。【解決手段】診察台１は、基台２と、基台の上方に配置され、動物を載置可能なテーブル１０と、基台に設置され、テーブルの一端を支持してテーブルの下方と基台の上方との間に空間を形成させる片持ち支持機構２０と、テーブルの側方に設けられ、テーブルを上下方向に移動させる昇降機構３０とを備える。好ましくは、基台上の障害物を検知する検知装置と、検知装置で基台上の障害物が検知された場合、テーブルの下降を禁止する監視機構とをさらに備える。【選択図】図１
2018175580.tif 000002
【特許請求の範囲】
【請求項１】
基台と、
該基台の上方に配置され、動物を載置可能なテーブルと、
前記基台に設置され、前記テーブルの一端を支持して該テーブルの下方と前記基台の上方との間に空間を形成させる片持ち支持機構と、
前記テーブルの側方に設けられ、該テーブルを上下方向に移動させる昇降機構と
を備えることを特徴とする診察台。
【請求項２】
前記基台上の障害物を検知する検知装置と、
該検知装置で前記基台上の障害物が検知された場合、前記テーブルの下降を禁止する監視機構とをさらに備えることを特徴とする請求項１に記載の診察台。
【請求項３】
前記昇降機構によって前記テーブルが下降して前記基台に最も近づいた場合、前記片持ち支持機構によって支持された前記テーブルの一端とは反対側の他端が前記テーブルの前記一端よりも下方に位置するように、前記テーブルの前記他端を下方に傾斜させるチルト機構と、前記テーブルの前記他端から引き出し可能なスロープとをさらに備えることを特徴とする請求項１または２に記載の診察台。
【請求項４】
前記片持ち支持機構が、前記基台に固定される支柱と、該支柱に対して前記テーブルとともに上下方向に移動する支柱ガイドとを有し、該支柱ガイドに、無影灯が設けられていることを特徴とする請求項１から３のいずれか一項に記載の診察台。
【請求項５】
前記テーブルが下降して前記基台に最も近づいた導入退出位置への移動か、該導入退出位置よりも上方に位置し、術者が予め設定したメモリポジションへの移動を切り換え可能なスイッチと、前記無影灯の点灯・消灯を制御する点灯処理部とを有し、
該点灯処理部は、前記スイッチを押し下げて前記テーブルが前記メモリポジションに到達した場合に、前記無影灯を点灯させる、あるいは、前記テーブルが前記導入退出位置に到達させるために前記スイッチを押し下げた場合に、前記無影灯を消灯させることを特徴とする請求項４に記載の診察台。
【請求項６】
前記無影灯を、前記テーブルに所定値以上の荷重が生じた場合に点灯させ、該所定値以上の荷重が生じなくなった場合に消灯させる点灯処理部を有することを特徴とする請求項４に記載の診察台。
【請求項７】
前記テーブルが前記動物の体重を計量するための量りを有し、前記片持ち支持機構が前記テーブルに生じた荷重を受ける支柱を有し、該支柱に、把手が設けられていることを特徴とする請求項１から６のいずれか一項に記載の診察台。
【発明の詳細な説明】
【技術分野】
【０００１】
本発明は、診察台に関し、より詳細には、イヌ・ネコ等のペット動物の診察や手術に使用される診察台に関する。
【背景技術】
【０００２】
診察台は、例えばイヌ・ネコ等のペット動物（以下「動物」と称する。）を載せるテーブルを有するが、動物の乗り降りを容易にするために、テーブルの高さを調整できる構造が望まれる。例えば、特許文献１には、伸縮可能な一対の脚体でテーブル（診察台本体）を支持する構造が開示されている。
一方、特許文献１のように脚体をテーブルの下に設置した場合、脚体が邪魔をしてテーブルを低く下げられない。そのため、例えば、特許文献２には、折り畳み可能な一対のＸ脚でテーブル（ペット台）を支持する構造が開示されている。
【先行技術文献】
【特許文献】
【０００３】
【特許文献１】特開２００７−１１７５１５号公報
【特許文献２】特開２０１０−１８４００３号公報
【発明の概要】
【発明が解決しようとする課題】
【０００４】
しかしながら、上記特許文献１の構造では、複数の脚体がテーブルの下に設置されている。また、上記特許文献２の構造では、Ｘ脚がテーブルの側方に設置され、さらに、ダンパ型伸縮機構がテーブルの下に設置されている。このため、術者がテーブル上の動物を診察や手術するために椅子に座ったり、しゃがむと、術者の膝が脚体、Ｘ脚、あるいはダンパ型伸縮機構に接触することがある。
【０００５】
本発明は、上述のような実情に鑑みてなされたもので、テーブル上で容易に診察や手術可能な診察台を提供することを目的とする。
【課題を解決するための手段】
【０００６】
上記課題を解決するために、請求項１の発明は、基台と、該基台の上方に配置され、動物を載置可能なテーブルと、前記基台に設置され、前記テーブルの一端を支持して該テーブルの下方と前記基台の上方との間に空間を形成させる片持ち支持機構と、前記テーブルの側方に設けられ、該テーブルを上下方向に移動させる昇降機構とを備えることを特徴とする診察台である。
【０００７】
請求項２の発明は、請求項１の発明において、前記基台上の障害物を検知する検知装置と、該検知装置で前記基台上の障害物が検知された場合、前記テーブルの下降を禁止する監視機構とをさらに備えることを特徴としている。
【０００８】
請求項３の発明は、請求項１または２の発明において、前記昇降機構によって前記テーブルが下降して前記基台に最も近づいた場合、前記片持ち支持機構によって支持された前記テーブルの一端とは反対側の他端が前記テーブルの前記一端よりも下方に位置するように、前記テーブルの前記他端を下方に傾斜させるチルト機構と、前記テーブルの前記他端から引き出し可能なスロープとをさらに備えることを特徴としている。
【０００９】
請求項４の発明は、請求項１から３のいずれかの発明において、前記片持ち支持機構が、前記基台に固定される支柱と、該支柱に対して前記テーブルとともに上下方向に移動する支柱ガイドとを有し、該支柱ガイドに、無影灯が設けられていることを特徴としている。
【００１０】
請求項５の発明は、請求項４の発明において、前記テーブルが下降して前記基台に最も近づいた導入退出位置への移動か、該導入退出位置よりも上方に位置し、術者が予め設定したメモリポジションへの移動を切り換え可能なスイッチと、前記無影灯の点灯・消灯を制御する点灯処理部とを有し、該点灯処理部は、前記スイッチを押し下げて前記テーブルが前記メモリポジションに到達した場合に、前記無影灯を点灯させる、あるいは、前記テーブルが前記導入退出位置に到達させるために前記スイッチを押し下げた場合に、前記無影灯を消灯させることを特徴としている。
請求項６の発明は、請求項４の発明において、前記無影灯を、前記テーブルに所定値以上の荷重が生じた場合に点灯させ、該所定値以上の荷重が生じなくなった場合に消灯させる点灯処理部を有することを特徴としている。
【００１１】
請求項７の発明は、請求項１から６のいずれかの発明において、前記テーブルが前記動物の体重を計量するための量りを有し、前記片持ち支持機構が前記テーブルに生じた荷重を受ける支柱を有し、該支柱に、把手が設けられていることを特徴としている。
【発明の効果】
【００１２】
本発明によれば、テーブルが片持ち支持されており、術者は、テーブルと基台との間に膝を容易に入れられる。よって、椅子に座ったり、しゃがんだ姿勢でテーブル上の動物を診察や手術することができる。
【図面の簡単な説明】
【００１３】
【図１】本発明の実施例１による診察台の斜視図である。
【図２】診察台の機能ブロック図である。
【図３】診察台の昇降機構の斜視図である。
【図４】診察台の片持ち支持機構の分解斜視図である。
【図５】診察台のチルト機構の分解斜視図である。
【図６】診察台のテーブルの分解斜視図である。
【図７】（Ａ）はテーブルが下方に移動した状態を説明するための図、（Ｂ）は（Ａ）のテーブルが前傾した状態を説明するための図である。
【図８】本発明の実施例２による診察台の斜視図である。
【図９】本発明の実施例３による診察台の斜視図である。
【発明を実施するための形態】
【００１４】
（実施例１）
以下、図面を参照しながら本発明の診察台について説明する。図１は、本発明の実施例１による診察台の斜視図であり、図２は、診察台の機能ブロック図である。
図１に示すように、診察台１は平面視矩形状の基台２を有する。基台２は、診察室の床に載置される本体ベース３と、本体ベース３の上方を覆う樹脂製のベースカバー５とで形成される。なお、本体ベース３には、図２に示したロードセル６が設置されており、ベースカバー５を介して基台２に生じた荷重（例えば動物や術者の体重）を検知可能である。なお、ロードセル６が本発明の障害物を検知する検知装置に相当する。
障害物を安価に検知する方法として、マイクロスイッチを使用してもよい。詳しくは、ベースカバー５の裏面に可動接点を設け、その下方に電極（いずれも図示省略）を設けておき、ベースカバー５の自重を支えるスプリング（図示省略）を設置しておけば、ベースカバー５の自重を超える負荷が生じて、ベースカバー５がスプリングの付勢力に抗して下方に移動すると、可動接点が電極に接触して電気回路が導通して障害物を検知できるからである。マイクロスイッチを使用すれば、小型犬がベースカバー５に載った時にも検知できるし、また、術者がテーブル１０の移動を緊急停止させたい時にもベースカバー５を踏めば検知できる。
【００１５】
基台２の上方には、基台２よりも大きな平面視矩形状のテーブル１０が配置され、テーブル１０は基台２に対して上下に昇降可能である。基台２には、例えば３種類の足踏みスイッチ４ａ，４ｂ，４ｃが設置されている。足踏みスイッチ４ａはテーブル１０を下降させる場合に押し下げられ、足踏みスイッチ４ｃはテーブル１０を上昇させる場合に押し下げられる。足踏みスイッチ４ｂ（メモリ／オートスイッチともいう）は、押し下げられると、テーブル１０の最下位置（導入退出位置ともいう）への移動か、術者が予め設定したメモリポジション（導入退出位置よりも上方位置）への移動を交互に切り換えることができる。
【００１６】
図２に示すように、診察台１は、制御部８０、計量処理部４５、昇降処理部４６、監視処理部５１、チルト処理部７２を有し、これらはバスを介して接続される。
制御部８０は、ＣＰＵやメモリ等からなり、メモリの例えばＲＯＭに格納されている各種プログラムやデータをＲＡＭにロードし、各種プログラムを実行することにより、診察台１の動作を制御することができる。メモリには、導入退出位置やメモリポジションも記憶される。
【００１７】
計量処理部４５では、量り１３の検知結果を表示画面４０に表示する。監視処理部５１では、本体ベース３上のロードセル６の検知結果に応じてＬＥＤ１６やブザー４１を駆動する。詳しくは、基台２に荷重が生じていない場合、ＬＥＤ１６を青色に点灯させ、ブザー４１の吹き鳴らしを行わせない。一方、例えば動物の体重や術者がベースカバー５を踏んだ場合などの外力が基台２に生じた場合、ＬＥＤ１６を赤色に点灯させ、ブザー４１の吹き鳴らしを行う。
【００１８】
なお、監視機構が監視処理部５１や昇降処理部４６を有してもよい。具体的には、動物の体重や術者がベースカバー５を踏んだ場合などの外力が基台２に生じた場合、監視処理部５１は、テーブル１０の下降を禁止するように、昇降処理部４６に指令してもよい。基台２に荷重が生じた場合にテーブル１０の下降を禁止すれば、例えば術者の膝や動物がテーブル１０と基台２とで挟まれる等の危険をなくすことができる。
【００１９】
図３は、診察台の昇降機構の斜視図である。なお、図３では、昇降機構３０を説明するために、図１から支柱カバー２４、ケース３９や表示画面４０、テーブル１０等の記載を省略している。
テーブルの側方であって基台２の周縁近傍には、支柱２１が立設されている。支柱２１は、断面視四角形で形成され、上下方向に沿って延びている。支柱２１の下端は基台２に固定され、支柱２１の上端は支持上板３５に固定される。
【００２０】
支柱２１の外側には、断面視四角形の筒状に形成された支柱ガイド２２が設けられている。支柱ガイド２２は金属製のガイド用ローラ３１を有し、ガイド用ローラ３１は、支柱ガイド２２の各面に１個ずつ回転自在に設けられ、支柱２１の外周面に当接している。支柱ガイド２２は、昇降機構３０の動力によって、支柱２１に対してテーブル１０とともに上下方向に移動することができる。
【００２１】
支柱２１の近傍にはボールネジ３３が立設される。ボールネジ３３は、所定のネジ溝を有して上下方向に沿って延びている。ボールネジ３３の下端は軸受３２を介して基台２に回転自在に支持され、ボールネジ３３の上端はネジ側プーリ３６を介して支持上板３５に回転自在に支持されている。
【００２２】
ボールネジ３３の外側にはナット３４が設けられる。ナット３４は支柱ガイド２２に連結され、ナット３４の内部には、複数の鋼球（図示省略）が配されている。ボールネジ３３が回転すると、ナット３４内の鋼球がボールネジ３３のネジ溝に沿って移動し、ナット３４が上下方向に沿って移動する。なお、ナット３４の最下位置は、図２に示した下近接センサ７１で検知され、ナット３４の最上位置は上近接センサ４７で検知される。なお、近接センサに替えてリミットスイッチでもよい。
【００２３】
ボールネジ３３の近傍には、昇降モータ４３やクラッチ４４ｂが設けられる。詳しくは、支持上板３５の下面には、断面視コ字状の昇降モータ取付板４２が設けられており、そのコ字状の底部分をボールネジ３３に向けている。コ字状の上面部分が支持上板３５に連結され、コ字状の下面部分にクラッチ４４ｂが搭載される。クラッチ４４ｂの上には昇降モータ４３が搭載されている。
【００２４】
昇降モータ４３は、クラッチ４４ｂに対面するクラッチ４４ａを有しており、クラッチ４４ａ，４４ｂはブレーキとして機能する。昇降モータ４３の軸の上端はモータ側プーリ３７を介して支持上板３５に回転自在に支持されている。モータ側プーリ３７の回転はシンクロベルト３８を介してネジ側プーリ３６に伝えられる。
【００２５】
図４は、診察台の片持ち支持機構の分解斜視図である。なお、図４では、片持ち支持機構２０を説明するために、図１から支柱カバー２４、テーブル１０等の記載を省略している。
支柱ガイド２２には、断面視コ字状のシャーシ受けアーム２３が例えば４本のネジで取り付けられる。シャーシ受けアーム２３は、コ字状の開口部分を下方に向けて、基台２上で水平方向に沿って延びている。
【００２６】
シャーシ受けアーム２３には、その上方から固定シャーシ６１が例えば４本のネジで取り付けられる。固定シャーシ６１は平板状に形成される。支柱２１近傍の端部には上方に向けて延びた一対の回動支持部６１ａが設けられ、反対側の端部には下方に向けて延びた一対の取付板受け部６１ｂが設けられている。固定シャーシ６１には、その上方から可動シャーシ６２が設置される。可動シャーシ６２は、平板状に形成され、固定シャーシ６１の回動支持部６１ａに対応する位置に一対の回動部６２ａを有する。可動シャーシ６２の回動部６２ａが、固定シャーシ６１の回動支持部６１ａに回動自在に支持される。
【００２７】
可動シャーシ６２には、その上方から図６で説明する量り１３が例えば４本のネジで取り付けられる。その上方から図１に示したテーブル１０が例えば４本のネジで量り１３の上面に取り付けられる。これにより、テーブル１０の一端が片持ち支持機構２０で支持され、支柱２１がテーブル１０に生じた荷重を受ける。また、テーブル１０の下方と基台２の上方との間に空間を形成することができる。
この結果、術者は、テーブル１０の支柱２１近傍（テーブル１０の後方側）を除いた、テーブル１０の正面側（前方側）や左右両側面側から、テーブル１０と基台２との間に膝を容易に入れられるので、椅子に座ったり、しゃがんだ姿勢でテーブル１０上の動物を診察や手術することができる。
【００２８】
また、テーブル１０の一端を片持ち支持することから、テーブル１０が昇降するためのストローク量を大きくとることができ、テーブル１０を基台２の近傍にまで下げることも可能になる。
【００２９】
図５は、診察台のチルト機構の分解斜視図である。
チルト機構６０は、固定シャーシ６１と可動シャーシ６２の間に取り付けられる。詳しくは、チルト機構６０は断面視コ字状のチルトモータ取付板６５を有し、コ字状の開口部分を上方に向けて配置され、コ字状の左右側面部分が、図４で説明した固定シャーシ６１の取付板受け部６１ｂに回動自在に支持される。また、チルトモータ取付板６５のコ字状の底部分には、チルトモータ７０や軸受６６が設置されている。
【００３０】
チルトモータ７０の軸の下端は、チルトモータ取付板６５の底部分の裏側でモータ側プーリ６８に連結され、モータ側プーリ６８の回転は、同じくチルトモータ取付板６５の底部分の裏側でシンクロベルト６９を介して回転ナット６７に伝えられる。軸受６６は、チルト用ロッドネジ６３のネジ部６３ｂを回転自在に支持しており、回転ナット６７の回転によって、ネジ部６３ｂが上下方向に移動する。
【００３１】
図５に示すように、チルト用ロッドネジ６３のネジ部６３ｂの上端にはネジ頭部６３ａが形成されている。ネジ頭部６３ａの両端は傾斜ブロック支え６４に回動自在に支持される。傾斜ブロック支え６４は、図４で説明した可動シャーシ６２の支え受け部６２ｂに下方から当接し、例えば２本のネジで固定される。これにより、チルト用ロッドネジ６３のネジ部６３ｂは、固定シャーシ６１の取付板受け部６１ｂよりも手前側に位置して、可動シャーシ６２の支え受け部６２ｂと固定シャーシ６１の取付板受け部６１ｂとを接続する。
【００３２】
図６は、診察台のテーブルの分解斜視図である。
テーブル１０は、量り台として機能する天板１１を有し、天板１１の天面１２には、滑り防止のマットが敷かれている。天板１１の裏面には、天板１１よりも手前側に向けて引き出し可能なスロープ１７が設けられている。また、テーブル１０には量り１３が設置される。量り１３にはロードセルが取り付けられており、量り１３は、量り受け台１３ｃを介して例えば４本のネジで可動シャーシ６２に固定される。量り１３から延びたコード１３ａの先端には端子１３ｂが設けられている。端子１３ｂは、図１で説明した支柱カバー２４の内部で別の端子（図示省略）に接続される。
【００３３】
量り受け台１３ｃと天板受け台１４とは井桁状に組まれて一体形成され、天板受け台１４は、例えば４本のネジで天板１１の裏面に固定される。
テーブル１０の下方には、シャーシカバー１５ａ，１５ｂが設けられており、可動シャーシ６２や固定シャーシ６１の側方を覆う。また、シャーシカバー１５ａ，１５ｂの内側には、図２に示したＬＥＤ１６が設けられる。ＬＥＤ１６は、ロードセル６の検知結果に基づいて青色や赤色に点灯する。
【００３４】
次に、テーブル１０が図１に示した所定高さに位置し、足踏みスイッチ４ａが押し下げられた場合には、図２に示す昇降処理部４６で、昇降モータ４３を所定方向に回転させる。これにより、テーブル１０が下降して基台２に近づく。なお、テーブル１０の下降を止めたい場合には、足踏みスイッチ４ａから足を離す。足踏みスイッチ４ａの押し下げ中はテーブル１０が下降し、テーブル１０が導入退出位置に到達すると、下近接センサ７１の検知結果から昇降モータ４３の回転が停止する。クラッチ４４ｂをクラッチ４４ａに接触させるので、動物を驚かせることなくスローストップさせることができる。導入退出位置に到達した場合には、足踏みスイッチ４ａを踏み続けても踏みなおしても昇降モータ４３は回転停止したままである。
一方、足踏みスイッチ４ｃの押し下げ中はテーブル１０が上昇し、上近接センサ４７によってテーブル１０が基台２から最も離れたことが検知された場合、昇降モータ４３の回転が停止する。このときには、足踏みスイッチ４ｃを踏み続けても踏みなおしても昇降モータ４３は回転停止したままである。
なお、テーブル１０が同様に図１に示した所定高さに位置しており、メモリ／オートスイッチ４ｂが押し下げられた場合、下近接センサ７１によってテーブル１０が導入退出位置に到達したと検知されたら、昇降モータ４３の回転が停止する。その後、チルトモータ７０が回転してテーブル１０は前傾を始める。図２に示す寝リミットスイッチ７３ｂによってテーブル１０の前傾姿勢が検知されたら、チルトモータ７０の回転が停止する。
これに対し、テーブル１０が導入退出位置に到達して既に前傾しているときに、メモリ／オートスイッチ４ｂが押し下げられた場合、最初にチルトモータ７０が回転し、テーブル１０が後傾を始める。チルト用ロッドネジ６３のネジ部６３ｂが上方に移動して、可動シャーシ６２の支え受け部６２ｂを上方に押し上げるので、テーブル１０は水平位置に戻る。図２に示す起きリミットスイッチ７３ａによってテーブル１０の水平姿勢が検知されたら、チルトモータ７０の回転が停止する。その後、昇降モータ４３が回転してテーブル１０は上昇を始める。テーブル１０がメモリポジションで自動的に停止したら、昇降モータ４３の回転が停止する。なお、テーブル１０が導入退出位置にあるが、前傾していなかった場合、メモリ／オートスイッチ４ｂが押し下げられると、テーブル１０がメモリポジションまで上昇する。
【００３５】
図７（Ａ）に示すようにテーブル１０が基台２に向けて下降し、下近接センサ７１によってテーブル１０が導入退出位置に到達したことが検知された場合、図２に示すチルト処理部７２で、チルトモータ７０を所定方向に回転させる。これにより、チルト用ロッドネジ６３のネジ部６３ｂが下方に移動して、可動シャーシ６２の支え受け部６２ｂを下方に引っ張り、可動シャーシ６２が固定シャーシ６１に対して回動するので、テーブル１０が前傾姿勢になる。寝リミットスイッチ７３ｂによって、可動シャーシ６２が固定シャーシ６１に最も近づいたことが検知された場合、チルトモータ７０の回転が停止する。具体的には、図７（Ｂ）に示すように、テーブル１０は、支柱カバー２４から遠い、テーブル１０の正面側の端部が支柱カバー２４に近い側（テーブル１０の後方側）の端部よりも下方に位置する。
【００３６】
さらに、テーブル１０が前傾した場合には、図７（Ｂ）に示すように、スロープ１７を下方に向けて引き出すことができる。スロープ１７の先端は診察室の床まで到達可能である。
このように、テーブル１０が基台２に最も近づいた場合にはテーブル１０が前傾するので、例えば大型の動物や老犬であっても動物自身でテーブル１０に乗り降りしやすくなる。
【００３７】
（実施例２）
図８は、本発明の実施例２による診察台の斜視図である。なお、図８では、支柱２１や支柱ガイド２２を見やすくするために、図１で説明した支柱カバー２４、支持上板３５、テーブル１０等の記載を省略している。
支柱ガイド２２はテーブルとともに上下方向に移動する。このため、図８に示すように、無影灯９０を支柱ガイド２２に設置すれば、テーブルがどの高さに位置していても、テーブルから無影灯までの距離が一定に維持される。このため、術者が視野を確保するために、診察台に無影灯を設置して欲しいという要望に応ずることができるとともに、無影灯の高さ調整作業を減らすことができる。
【００３８】
また、診察台が点灯処理部（図示省略）を有していてもよい。テーブル１０が導入退出位置にある場合、図１に示したメモリ／オートスイッチ４ｂが押し下げられると、テーブル１０はメモリポジションまで上昇し、メモリポジションに到達したら停止する。テーブル１０が停止したら、無影灯９０を点灯させる。また、テーブル１０が導入退出位置にはない場合、メモリ／オートスイッチ４ｂが押し下げられたときには、無影灯９０を消灯させる。テーブル１０は、導入退出位置に到達して前傾した後に停止する。このように、無影灯９０は診察や手術する場合に点灯し、診察や手術が済んだら消灯するので、この点も術者の視野確保に貢献する。
あるいは、テーブルに生じた荷重に応じて点灯・消灯させてもよい。詳しくは、点灯処理部が、量り１３の検知結果からテーブル１０に所定値以上の荷重が生じた場合、無影灯９０を点灯させ、所定値以上の荷重が生じなくなった場合、無影灯９０を消灯させれば、消灯忘れを防止することができる。
【００３９】
（実施例３）
図９は、本発明の実施例３による診察台の斜視図である。なお、図９でも、支柱２１や支柱ガイド２２を見やすくするために、図１で説明した支柱カバー２４、支持上板３５、テーブル１０等の記載を省略している。
支柱２１は基台２に固定されている。このため、図９に示すように、把手９１を支柱２１に設置すれば、診察室の床を清掃するために診察台を移動させる場合に、図６で説明したテーブル１０を持たなくて済み、テーブル１０に設置された量り１３への影響（測定結果の偏り等）を減らすことができる。なお、把手９１には、動物用のリードを固定してもよい。
【符号の説明】
【００４０】
１…診察台、２…基台、３…本体ベース、４ａ，４ｂ，４ｃ…足踏みスイッチ、５…ベースカバー、６…ロードセル、１０…テーブル、１１…天板、１２…天面、１３…量り、１３ａ…コード、１３ｂ…端子、１３ｃ…量り受け台、１４…天板受け台、１５ａ，１５ｂ…シャーシカバー、１６…ＬＥＤ、１７…スロープ、２０…片持ち支持機構、２１…支柱、２２…支柱ガイド、２３…シャーシ受けアーム、２４…支柱カバー、３０…昇降機構、３１…ガイド用ローラ、３２…軸受、３３…ボールネジ、３４…ナット、３５…支持上板、３６…ネジ側プーリ、３７…モータ側プーリ、３８…シンクロベルト、３９…ケース、４０…表示画面、４１…ブザー、４２…昇降モータ取付板、４３…昇降モータ、４４ａ，４４ｂ…クラッチ、４５…計量処理部、４６…昇降処理部、４７…上近接センサ、５１…監視処理部、６０…チルト機構、６１…固定シャーシ、６１ａ…回動支持部、６１ｂ…取付板受け部、６２…可動シャーシ、６２ａ…回動部、６２ｂ…支え受け部、６３…チルト用ロッドネジ、６３ａ…ネジ頭部、６３ｂ…ネジ部、６４…傾斜ブロック支え、６５…チルトモータ取付板、６６…軸受、６７…回転ナット、６８…モータ側プーリ、６９…シンクロベルト、７０…チルトモータ、７１…下近接センサ、７２…チルト処理部、７３ａ…起きリミットスイッチ、７３ｂ…寝リミットスイッチ、８０…制御部、９０…無影灯、９１…把手。
【図１】
2018175580.tif 000003
【図２】
2018175580.tif 000004
【図３】
2018175580.tif 000005
【図４】
2018175580.tif 000006
【図５】
2018175580.tif 000007
【図６】
2018175580.tif 000008
【図７】
2018175580.tif 000009
【図８】
2018175580.tif 000010
【図９】
2018175580.tif 000011